【事件の表示】
　特許第２９４４８９５号「情報再生装置及び情報記録方」の請求項１ないし６に係る特許に対する特許異議の申立てについて、次のとおり決定する。
【結　論】
　訂正を認める。
　特許第２９４４８９５号の請求項１に係る特許を取り消す。
【理　由】
１．手続の経緯
　特許第２９４４８９５号の請求項１に係る発明についての出願は、平成６年９月２日に特許出願され、平成１１年６月２５日にその特許の設定登録がなされ、その後、異議申立人小野浩一より特許異議の申立てがなされ、取消理由通知がなされ、その指定期間内である平成１２年７月２４日に訂正請求がなされたものである。
　
２．訂正の適否についての判断
ア．訂正の内容
　特許権者が求めている訂正の内容は、以下のとおりである。
　
　【請求項１】　光ディスクに最小ランレングスがｄのランレングス制限符号を用いて変調されて記録されたデジタル情報信号を再生する情報再生装置であって、前記光ディスクの高域遮断周波数Ｆｍを、レーザーの波長λ、光学系の開口数ＮＡ、前記光ディスクの線速度Ｖより、Ｆｍ＝２・Ｖ・ＮＡ／λで定義したとき、前記光ディスクには、記録密度に関する係数であってかつ１よりも大きい値Ｋをパラメータとして、Ｆｂ＝Ｋ・ｄ・Ｆｍ（ただしＫ＞１）なるビットレートＦｂで前記デジタル情報信号が記録されており、孤立波形の重なり具合を示すアイパターンの開口率が、前記光ディスクからの再生波形よりも大きくなるように等化する等化器を備えたことを特徴とする情報再生装置。
【請求項２】　光ディスクに最小ランレングスがｄのランレングス制限符号を用いて変調されて記録されたデジタル情報信号を再生する情報再生装置であって、前記光ディスクの高域遮断周波数Ｆｍを、レーザーの波長λ、光学系の開口数ＮＡ、前記光ディスクの線速度Ｖより、Ｆｍ＝２・Ｖ・ＮＡ／λで定義したとき、前記光ディスクには、記録密度に関する係数であってかつ１よりも大きい値Ｋをパラメータとして、Ｆｂ＝Ｋ・ｄ・Ｆｍ（ただしＫ＞１）なるビットレートＦｂで前記デジタル情報信号が記録されており、前記光ディスクからの再生孤立パルスのパルス幅に対する振幅の比率が、大となるように再生波形を等化する等化器を備えたことを特徴とする清報再生装置。
【請求項３】　光ディスクに最小ランレングスがｄのランレングス制限符号を用いて変調されて記録されたデジタル情報信号を再生する情報再生装置であって、前記光ディスクの高域遮断周波数Ｆｍを、レーザーの波長λ、光学系の開口数ＮＡ、前記光ディスクの線速度Ｖより、Ｆｍ＝２・Ｖ・ＮＡ／入で定義したとき、前記光ディスクには、記録密度に関する係数であってかつ１よりも大きい値Ｋをパラメータとして、Ｆｂ＝Ｋ・ｄ・Ｆｍ（ただしＫ＞１）なるビットレートＦｂで前記デジタル情報信号が記録されており、前記光ディスクからの再生孤立パルスの振幅を上げるように再生波形を等化する等化器を備えたことを特徴とする情報再生装置。
【請求項４】　請求項１乃至３のいずれか１項に記載の情報再生装置において、前記最小ランレングスｄは３であって、前記記録密度に関する係数Ｋは、１．２５≦Ｋ≦１．７５であることを特徴とする情報再生装置。
【請求項５】　最小ランレングスがｄのランレングス制限符号を用いて変調したデジタル情報信号を光ディスクに記録する情報記録方法であって、前記光ディスクの高域遮断周波数Ｆｍを、レーザーの波長λ、光学系の開口数ＮＡ、前記光ディスクの線速度Ｖより、Ｆｍ＝２・Ｖ・ＮＡ／λで定義したとき、前記光ディスクに、記録密度に関する係数であってかつ１よりも大きい値Ｋをパラメータとして、Ｆｂ＝Ｋ・ｄ・Ｆｍ（ただしＫ＞１）なるビットレートＦｂで前記デジタル情報信号を記録することを特徴とする情報記録方法。
【請求項６】　請求項５に記載の情報記録方法において、前記最小ランレングスｄは３であって、前記記録密度に関する係数Ｋは、１．２５≦Ｋ≦１．７５であることを特徴とする情報記録方法。」を、
「【請求項１】　光ディスクに最小ランレングスがｄ（ただし３≦ｄ≦５）でかつ最大ランレングスがｋのランレングス制限符号を用いて変調されて記録されたデジタル情報信号を再生する情報再生装置であって、
　前記光ディスクの高域遮断周波数Ｆｍを、レーザーの波長λ、光学系の開口数ＮＡ、前記光ディスクの線速度Ｖより、Ｆｍ＝２・Ｖ・ＮＡ／λで定義したとき、
　前記光ディスクには、記録密度に関する係数Ｋ（ただし１．２５≦Ｋ≦１．７５）をパラメータとして、Ｆｂ＝Ｋ・ｄ・ＦｍなるビットレートＦｂで前記デジタル情報信号が記録されており、
　前記光ディスクから再生された信号を等化する等化器を備え、
　前記等化器は、前記最小ランレングスｄから前記最大ランレングスｋまで全ての孤立パルスのエッヂが重なり合うように等化特性の設定が行なわれた等化器であることを特徴とする情報再生装置。」　
と訂正する。
　
イ．訂正の目的の適否、新規事項の有無及び拡張・変更の存否
　上記訂正事項は、まず、訂正前の特許請求の範囲の請求項２，３，５及び６を削除し、請求項４を請求項１に取り込んで訂正後の請求項１とするものである。そして、段落【００２５】、【００２７】及び図３（Ａ）〜図７（Ａ）の記載等に基づいて、
　ランレングス制限符号に関して「最小ランレングスがｄのランレングス制限符号」を、特許請求の範囲の減縮を目的として、「最小ランレングスがｄ（ただし３≦ｄ≦５）でかつ最大ランレングスがｋのランレングス制限符号」と訂正するものであり、
　ビットレートＦｂに関して「記録密度に関する係数であってかつ１よりも大きい値Ｋをパラメータとして、Ｆｂ＝Ｋ・ｄ・Ｆｍ（ただしＫ＞１）なるビットレートＦｂ」を、特許請求の範囲の減縮を目的として、「記録密度に関する係数Ｋ（ただし１．２５≦Ｋ≦１．７５）をパラメータとして、Ｆｂ＝Ｋ・ｄ・ＦｍなるビットレートＦｂ」と訂正するものであり、
　等化器の記載に関して「孤立波形の重なり具合を示すアイパターンの開口率が、前記光ディスクからの再生波形よりも大きくなるように等化する等化器」を、明りょうでない記載の釈明を目的として、「前記光ディスクから再生された信号を等化する等化器を備え、
　前記等化器は、前記最小ランレングスｄから前記最大ランレングスｋまで全ての孤立パルスのエッヂが重なり合うように等化特性の設定が行なわれた等化器」と訂正するものである。
　したがって、上記訂正事項は、特許請求の範囲の減縮及び明りょうでない記載の釈明を目的とする訂正であって、新規事項の追加に該当せず、実質上特許請求の範囲を拡張し、又は変更するものではない。
　
ウ．むすび
　以上のとおりであるから、上記訂正は、特許法第１２０条の４第２項及び同条第３項で準用する第１２６条第２、３項の規定に適合するので、当該訂正を認める。
　
３．特許異議申立てについての判断
ア．訂正明細書の請求項１に係る発明
　訂正明細書の請求項１に係る発明は、その特許請求の範囲の請求項１に記載された次のとおりのものである。（以下、「本件発明」という。）
　
　「光ディスクに最小ランレングスがｄ（ただし３≦ｄ≦５）でかつ最大ランレングスがｋのランレングス制限符号を用いて変調されて記録されたデジタル情報信号を再生する情報再生装置であって、
　前記光ディスクの高域遮断周波数Ｆｍを、レーザーの波長λ、光学系の開口数ＮＡ、前記光ディスクの線速度Ｖより、Ｆｍ＝２・Ｖ・ＮＡ／λで定義したとき、
　前記光ディスクには、記録密度に関する係数Ｋ（ただし１．２５≦Ｋ≦１．７５）をパラメータとして、Ｆｂ＝Ｋ・ｄ・ＦｍなるビットレートＦｂで前記デジタル情報信号が記録されており、
　前記光ディスクから再生された信号を等化する等化器を備え、
　前記等化器は、前記最小ランレングスｄから前記最大ランレングスｋまで全ての孤立パルスのエッヂが重なり合うように等化特性の設定が行なわれた等化器であることを特徴とする情報再生装置。」
　
イ．取消理由通知に引用された刊行物の記載
　当審が取消理由で通知した刊行物は、以下のとおりである。
（１）刊行物１　パイオニア技報、Ｎｏ．９、（１９９４．６月）、ｐ２−１５
　刊行物１には、「画像圧縮技術（ＭＰＥＧ１）を用いた高密度光ディスクシステムの開発」に関して以下の記載がある。
・「ＣＤと同サイズの直径１２ｃｍディスクに高画質な動画，４ｃｈ音声，およびユーザーズデータを６０分記録可能な高密度ＲＯＭ型光ディスク・システムを開発した。ディスクの総記録容量は２．１Ｇバイト（片面）で，これはＣＤの記録容量の約３倍に相当する。開発したディスクの主な仕様は，
　マル１　トラック・ピッチは１．０μｍ
　マル２　最短ピット長は０．４６μｍ
である。また開発したプレーヤの光学系は，
　マル１　ピックアップにはＮＡが０．５５の対物レンズ
　マル２　光源には波長６８５ｎｍの半導体レーザ
を用いた。」（第２頁第２行〜第１１行）
・「本システムを応用し，ＬＤと同等な画質，４チャンネル音声，およびユーザーズデータを再生可能にした「αビジョン・カラオケ・システム」（４）　を実用化したので報告する。」（第４頁左欄第３７行−第４０行）
・「変調方式は，（１，７）ＲＬＬ（ｒｕｎ　ｌｅｎｇｔｈ　ｌｉｍｉｔｅｄ）符号に属する符号にＤＣ制御ビットを付加する方式で，特性を表２に示す。」（第２頁右欄第２４行−第２６行）
・「３．２．１　ピックアップ
　高密度・ＲＯＭ型・光ディスクを再生するためにはビーム径を小さくする必要がある。前述した（１）式より，ビーム径を小さくするには，光源に短波長半導体レーザを，ピックアップにＮＡの大きな対物レンズを使用すればよいが，光源には，
　マル１　量産時に安定に供給可能なこと
　マル２　過酷な使用環境下でも雑音が少なく寿命が長いこと
を考慮して，波長６８５ｎｍの低雑音半導体レーザを採用した。
　対物レンズは生産性，信頼性を考慮して，ＮＡが０．５５の非球面ガラス・モールド・レンズを採用した。
　図７に開発したピックアップで再生したときの再生信号のアイ・パターンを示す。最短ピット長２Ｔの繰り返しを再生したときのスペクトラムを図８に示す。このときのＣ／Ｎは約５８ｄＢである。
　３．２．２　等化回路
　前述したようにＣＤのビーム径に対して本システムのビーム径はそれの７２％である。一方，最短ピット長はＣＤのそれの５３％で，再生時に符号間干渉を生じ，図７に示すようにアイ・パターンの開口率が低下し，再生データの誤り率が増加する。従って，等化回路で再生波形を補正し，再生データの誤り率の低下を防ぐ必要がある。
　数種類試作した等化回路の中から，周波数特性，および群遅延特性に優れ，かつ低コストで制作可能な線形イコライザを２段で構成する等化回路を採用した。
　等化回路の周波数特性を図９に，等化後のアイ・パターンを図１０に示す。」（第１０頁右欄第１６行〜第１１頁左欄第１８行）
　
　以上の記載及び各図面の記載を参照すると、刊行物１には、以下の発明が記載されているものと認める。
　
　光ディスクに（１，７）ＲＬＬ変調符号を用いて変調されて記録されたデジタルの高画質な動画、４ｃｈ音声及びユーザーズデータを再生する高密度光ディスクシステムであって、
　光ディスクには、高密度で前記デジタルの高画質な動画、４ｃｈ音声及びユーザーズデータが記録されており、
　前記光ディスクから再生された信号を等化する等化回路を備えた高密度光ディスクシステム
　
（２）刊行物２  テレビジョン学会技術報告、Ｖｏｌ．１７、Ｎｏ．５２、ＶＩＲ９３−４６、ＣＥ９３−４１、（１９９３．９月）、ｐ１９−２４
　刊行物２には、「ＭＰＥＧ１応用高密度ＲＯＭディスクシステムの開発とカラオケへの応用」に関して以下の記載がある。（なお、本刊行物２は、上記刊行物１に参考文献（４）として引用されているものである。）
・「ディスクの主な仕様をＴａｂｌｅ．１に示す。線速度とトラックピッチは６０分の再生時間が確保可能な様々な組み合わせに対して実験を行い、種々のトレードオフを考慮して線速度２．３４ｍ／ｓｅｃ、トラックピッチ１．０μｍに決定した。」（第１９頁左欄第１７行〜右欄第３行）
・「プレーヤのピックアップは波長　λ＝６８５ｎｍ、ＮＡ＝０．５５、再生パワー０．２５ｍｗである。」（第２０頁左欄第９行〜第１０行）
・「本システムではＲＬＬ（１，７）符号に属する変調方式を用いた。」（第２０頁左欄第２５行〜第２６行）
・「本システムの論理フォーマットはＩＳＯ９６６０に準拠している。従って、本システムを汎用のディスクドライブシステムとして考えるならば、規定されているのはファイル構造とファイルのアクセス方法まででファイルの中身については自由ということになる。表３にディスクドライブシステムとしての仕様を示す。」（第２０頁右欄第３５行〜第４１行）とされ、表３には、Ｒｅｃｏｒｄｉｎｇ　ｂｉｔ　ｒａｔｅとしてＡｆｔｅｒ　Ｍｏｄｕｌａｔｉｏｎ　１０．２Ｍｂｐｓが記載されている。
　
（３）刊行物３　電子情報通信学会技報、ＭＲ９２−６４、（１９９２．１１月）、ｐ２５−３０
　刊行物３には、「ニューラルネットワークによる光ディスクの波形等化」について以下の記載がある。
・「ここでは、以上のＮＮＥＱの設計のシミュレーションの具体的な手順を記す。・・・ＥＷＳのデータファイルに補正すべき光ディスク再生信号と教師信号を取り込み，バックプロパゲーションの演算を行う。ＮＮを経た後の入力信号を教師信号と比較し，その誤差に応じた荷重変更を繰り返す。・・・なお、今回用いたディスクはトラックピッチ０．７２μｍ，最短ピット長０．４７μｍであり、ピックアップのＮＡは０．６０，レーザー波長は６７０ｎｍである。」（第２８頁左欄第４行〜第２２行）
・「以下にシミュレーション結果を示す。図６が入力信号，図７が教師信号，図８が出力信号である。これらのアイパターンを見ると，比較的，教師信号に忠実な等化が行われていることがわかる。」（第２８頁右欄第２行〜第６行）
・「次にＣＤ４倍密ディスクの再生信号のアイパターンをＥＱ無し（図１３），従来型ＥＱ（図１４），ＮＮＥＱ（図１５）について示す。」（第２９頁左欄第２７行〜第２９行）
　そして、図７には、理想的な信号に近づけるための教師信号のアイパターンが示されており、全ての信号のエッヂが重なるようにされている。
　
（４）刊行物４　尾上守夫監修「光ディスク技術」、（１９８９．２月）ｐ１９２−２００
　刊行物４には、「符号間干渉と波形等化器」について以下の記載がある。
・「光ディスクの記録・再生系は，対物レンズのＯＴＦ，記録材料の応答特性等から容易に想像できるように，一種の低域通過フィルタと考えることができます。」（第１９２頁第１５行〜第１６行）
・「１・２・４項で述べたように，対物レンズのＯＴＦは図１・２４７のようになっているので，光学系全体の周波数特性もほぼ同様と考えてよいのです。」（第１９７頁第４行〜第８行）とされ、図１・２４７に「ｆtco ：光学的なカットオフ周波数」と記載されており、同頁第１９行にｆtco ＝２ＮＡ／λ・Ｖと記載されている。
　
（５）刊行物５  １９９１年テレビジョン学会年次大会（１９９１）、ｐ１１３−１１４
　刊行物５には、「８−１４変調方式における等化方式の検討」について、以下の記載がある。
・「８−１４変調方式やＭ２　変調方式といった最小磁化反転間隔Ｔｍｉｎが２Ｔ（Ｔ：ビット間隔）であるような変調方式はすぐれたＤＣフリー特性を持ち、ディジタル信号記録に非常に適した変調方式と考えられる。これらの変調方式に対しては、ナイキスト周波数ｆＮ　を１／４ｆｂ（ｆｂ：ビット周波数＝１／Ｔ）とするロールオフ率１００％の等化特性を満たせばよい事がよく知られている。
　記録密度向上の重要なポイントの１つに、最高記録周波数におけるＳＮ比の確保がある。
　今回、アイ開口率を上げ、かつＳＮ比を向上させる等化方法の検討を行い、試作したディジタルＶＴＲにおいて良好な特性が得られたので報告する。」（第１１３頁左欄第２行〜第１５行）
・ここで、等化後の波形Ｄ（ｎ）にε（ｎ−１），ε（ｎ），ε（ｎ＋１）を一定の割合で足しあわせることにより波形等化を行うと、８−１４変調方式の性質により２Ｔパターンにおいて、ε（ｎ−１），ε（ｎ），ε（ｎ＋１）のうち必ず２つはＤ（ｎ）と同符号となり振幅は増加する。」（第１１３頁左欄第２５行〜右欄第４行）
　
（６）刊行物６　「光記録における信号処理技術」、（１９８９．２月）、株式会社トリケップス発行、ｐ７７−７８
　刊行物６には、「アイパターン」について以下の記載がある。
・「アイパターンは記録されている符号系列のすべての組み合わせを含む信号波形をシンクロスコープで観測したもので，記録再生系全体の状態を総合的に評価できるものである。図１９にアイパターンのモデル図を示す。アイパターンの測定は，理想的なアイパターンに対する劣化したアイパターンのアイ開口率で行う。図１９において，劣化したアイパターンは振幅方向でΔａ劣化しており，このときのアイ開口率は，Ｐ＝Ｉ２　／Ｉ１　となる。」（第７７頁第３４行〜第７８頁第８行）
　そして、図１９には、記録されている符号系列のすべての組み合わせのアイパターンが示されており、理想的なアイパターンでは、全ての組み合わせの信号波形のエッヂが重なり合っている。
　
ウ．対比、判断
　本件発明と上記刊行物１に記載された発明とを対比する。
　刊行物１記載の発明の「デジタルの高画質な動画、４ｃｈ音声及びユーザーズデータ」、「高密度光ディスクシステム」、「等化回路」は、それぞれ本件発明の「デジタル情報信号」、「情報再生装置」、「等化器」に相当することは明らかである。
　そして、刊行物１記載の発明の「（１，７）変調符号を用いて変調されて記録」は、最小ランレングスが２でかつ最大ランレングスが７のランレングス制限符号を用いて変調されて記録されるものであり、本件発明の「最小ランレングスがｄでかつ最大ランレングスがｋのランレングス制限符号を用いて変調されて記録」することに相当するものと認められる。
　したがって、本件発明と刊行物１記載の発明は、
　
　光ディスクに最小ランレングスがｄでかつ最大ランレングスがｋのランレングス制限符号を用いて変調されて記録されたデジタル情報信号を再生する情報再生装置であって、
　高密度で前記デジタル情報信号が記録されており、
　前記光ディスクから再生された信号を等化する等化器を備える情報再生装置。
である点で一致し、以下の点で相違するものと認められる。
（１）最小ランレングスが、本件発明では「ｄ（ただし３≦ｄ≦５）」であるのに対し、刊行物１記載の発明では、「２」である点
（２）本件発明では、「光ディスクの高域遮断周波数Ｆｍを、レーザーの波長λ、光学系の開口数ＮＡ、前記光ディスクの線速度Ｖより、Ｆｍ＝２・Ｖ・ＮＡ／λで定義したとき、
　前記光ディスクには、記録密度に関する係数Ｋ（ただし１．２５≦Ｋ≦１．７５）をパラメータとして、Ｆｂ＝Ｋ・ｄ・ＦｍなるビットレートＦｂで前記デジタル情報信号が記録されて」いるとしているのに対し、刊行物１記載の発明では、高密度でデジタル情報信号が記録されているが本件発明のような式を用いて表現されていない点
（３）等化器が、本件発明では、「最小ランレングスｄから前記最大ランレングスｋまで全ての孤立パルスのエッヂが重なり合うように等化特性の設定が行なわれた等化器」であるとされているが、刊行物１記載の発明では、そのような言及がない点
　
　上記相違点（１）について検討する。
　デジタル信号を変調する変調規則としては、種々の規則が知られており、最小ランレングスｄを２とする刊行物１記載の発明の変調規則に替えて、最小ランレングスｄを（３≦ｄ≦５）とする変調規則を用いるようにすることは、当業者が適宜選択できる程度のことにすぎない。
　
　上記相違点（２）について検討する。
　まず、「光ディスクの高域遮断周波数Ｆｍを、レーザーの波長λ、光学系の開口数ＮＡ、前記光ディスクの線速度Ｖより、Ｆｍ＝２・Ｖ・ＮＡ／λで定義」することは、刊行物４を挙げて示したように周知の事項である。
　次に、Ｆｂ＝Ｋ・ｄ・Ｆｍとされているので、
刊行物１に記載されたＶ＝２．３４ｍ／ｓ、ＮＡ＝０．５５、λ＝６８５ｎｍ及びｄ＝２、また、刊行物１と同一のシステムについての文献である刊行物２に記載された記録ビットレート１０．２Ｍｂｐｓを代入すれば、Ｋ＝１．３６となり、刊行物１記載の光ディスクは、記録密度に関する係数Ｋが、本件発明の１．２５≦Ｋ≦１．７５の範囲にある高密度光ディスクであると認められる。
　本件発明は、上記Ｋを１．２５≦Ｋ≦１．７５の範囲としており、この上限、下限の臨界値は、本件明細書の図３（Ａ）〜図７（Ａ）の記載に基づいて定められていると認められるが、上記各波形はｄの値とＫの値の組み合わせのうちで良好な波形が得られる組み合わせを例示したものにすぎないと認められ、臨界値的根拠に乏しく数値そのものには格別な意味を見いだすことはできない。
　すなわち、本件発明の相違点に係る構成は、単に高密度記録の指標を上記Ｋを用いて表したもので、そのような指標に格別な発明力を要したものとは認められず、公知の刊行物１記載の発明もその関係を満足しているものであって、さらに、その１．２５≦Ｋ≦１．７５なるＫの範囲限定は、上記したように格別に意味が無く、単に当業者が適宜行い得る設計的事項にすぎないと認められるのである。
　
　上記相違点（３）について検討する。
　元来、等化器は、孤立パルス応答を良好とするように等化させることを考慮すべきものであって、本件発明の「最小ランレングスｄから前記最大ランレングスｋまで全ての孤立パルスのエッヂが重なり合うように等化特性の設定が行な」うということは、刊行物３や刊行物６に記載されているように普通に行われていることにすぎない。
　してみれば、刊行物１の等化器に対し、このような「最小ランレングスｄから前記最大ランレングスｋまで全ての孤立パルスのエッヂが重なり合うように等化特性の設定が行な」うようにすることは当業者が適宜実施し得ることにすぎないと認められる。
　
４．むすび
　以上のとおりであるから、各相違点は格別なものではなく、本件発明は、上記刊行物１ないし６に記載された発明に基いて当業者が容易に発明をすることができたものと認められ、本件発明の特許は、特許法第２９条第２項の規定に違反してされたものである。
　したがって、本件発明の特許は、特許法第１１３条第２号に該当するので、取り消されるべきものである。
　
　よって、結論のとおり決定する。
【異議決定日】
平成１２年１０月１２日（２０００．１０．１２）
【訂正の要旨】
（１）訂正事項
　「【請求項１】　光ディスクに最小ランレングスがｄのランレングス制限符号を用いて変調されて記録されたデジタル情報信号を再生する情報再生装置であって、前記光ディスクの高城遮断周波数Ｆｍを、レーザーの波長λ、光学系の開口数ＮＡ、前記光ディスクの線速度Ｖより、Ｆｍ＝２・Ｖ・ＮＡ／λで定義したとき、前記光ディスクには、記録密度に関する係数であってかつ１よりも大きい値Ｋをパラメータとして、Ｆｂ＝Ｋ・ｄ・Ｆｍ（ただしＫ＞１）なるビットレートＦｂで前記デジタル情報信号が記録されており、孤立波形の重なり具合を示すアイパターンの開口率が、前記光ディスクからの再生波形よりも大きくなるように等化する等化器を備えたことを特徴とする情報再生装置。
　【請求項２】　光ディスクに最小ランレングスがｄのランレングス制限符号を用いて変調されて記録されたデジタル情報信号を再生する情報再生装置であって、前記光ディスクの高域遮断周波数Ｆｍを、レーザーの波長λ、光学系の開口数ＮＡ、前記光ディスクの線速度Ｖより、Ｆｍ＝２・Ｖ・ＮＡ／λで定義したとき、前記光ディスクには、記録密度に関する係数であってかつ１よりも大きい値Ｋをパラメータとして、Ｆｂ＝Ｋ・ｄ・Ｆｍ（ただしＫ＞１）なるビットレートＦｂで前記デジタル情報信号が記録されており、前記光ディスクからの再生孤立パルスのパルス幅に対する振幅の比率が、大となるように再生波形を等化する等化器を備えたことを特徴とする清報再生装置。
　【請求項３】　光ディスクに最小ランレングスがｄのランレングス制限符号を用いて変調されて記録されたデジタル情報信号を再生する情報再生装置であって、前記光ディスクの高域遮断周波数Ｆｍを、レーザーの波長λ、光学系の開口数ＮＡ、前記光ディスクの線速度Ｖより、Ｆｍ＝２・Ｖ・ＮＡ／入で定義したとき、前記光ディスクには、記録密度に関する係数であってかつ１よりも大きい値Ｋをパラメータとして、Ｆｂ＝Ｋ・ｄ・Ｆｍ（ただしＫ＞１）なるビットレートＦｂで前記デジタル情報信号が記録されており、前記光ディスクからの再生孤立パルスの振幅を上げるように再生波形を等化する等化器を備えたことを特徴とする情報再生装置。
　【請求項４】　請求項１乃至３のいずれか１項に記載の情報再生装置において、前記最小ランレングスｄは３であって、前記記録密度に関する係数Ｋは、１．２５≦Ｋ≦１．７５であることを特徴とする情報再生装置。
　【請求項５】　最小ランレングスがｄのランレングス制限符号を用いて変調したデジタル情報信号を光ディスクに記録する情報記録方法であって、前記光ディスクの高域遮断周波数Ｆｍを、レーザーの波長λ、光学系の開口数ＮＡ、前記光ディスクの線速度Ｖより、Ｆｍ＝２・Ｖ・ＮＡ／λで定義したとき、前記光ディスクに、記録密度に関する係数であってかつ１よりも大きい値Ｋをパラメータとして、Ｆｂ＝Ｋ・ｄ・Ｆｍ（ただしＫ＞１）なるビットレートＦｂで前記デジタル情報信号を記録することを特徴とする情報記録方法。
　【請求項６】　請求項５に記載の情報記録方法において、前記最小ランレングスｄは３であって、前記記録密度に関する係数Ｋは、１．２５≦Ｋ≦１．７５であることを特徴とする情報記録方法。」を、特許請求の範囲の減縮及び明りょうでない記載の釈明を目的として、
「【請求項１】　光ディスクに最小ランレングスがｄ（ただし３≦ｄ≦５）でかつ最大ランレングスがｋのランレングス制限符号を用いて変調されて記録されたデジタル情報信号を再生する情報再生装置であって、
　前記光ディスクの高域遮断周波数Ｆｍを、レーザーの波長λ、光学系の開口数ＮＡ、前記光ディスクの線速度Ｖより、Ｆｍ＝２・Ｖ・ＮＡ／λで定義したとき、
　前記光ディスクには、記録密度に関する係数Ｋ（ただし１．２５≦Ｋ≦１．７５）をパラメータとして、Ｆｂ＝Ｋ・ｄ・ＦｍなるビットレートＦｂで前記デジタル情報信号が記録されており、
　前記光ディスクから再生された信号を等化する等化器を備え、
　前記等化器は、前記最小ランレングスｄから前記最大ランレングスｋまで全ての孤立パルスのエッヂが重なり合うように等化特性の設定が行なわれた等化器であることを特徴とする情報再生装置。」
と訂正する。
（５４）【発明の名称】
情報再生装置及び情報記録方
（５７）【特許請求の範囲】
　【請求項１】　光ディスクに最小ランレングスがｄ
（ただし３≦ｄ≦５）でかつ最大ランレングスがｋ
前記光ディスクの高域遮断周波数Ｆｍを、レーザーの波長λ、光学系の開口数ＮＡ、前記光ディスクの線速度Ｖより、Ｆｍ＝２・Ｖ・ＮＡ／λで定義したとき、
前記光ディスクには、記録密度に関する係
数Ｋ（ただし１．２５≦Ｋ≦１．７５）
ｍな
前記光ディスクから再生された信号を等化器を備え、
前記等化器は、前記最小ランレングスｄから前記最大ランレングスｋまで全ての孤立パルスのエッヂが重なり合うように等化特性の設定が行なわれた等化器である
【発明の詳細な説明】
　【０００１】
　【産業上の利用分野】本発明は、情報再生装置及び情報記録方法に係り、特に、光ディスク固有のパラメータを変更することなしにデジタル情報信号の記録密度の増大を可能とする、情報再生装置及び情報記録方法に関する。
　【０００２】
　【従来の技術】図８にディジタル情報信号記録再生システムの構成を示す。ここで、１は入力端子、２はランレングス制限（Ｒｕｎ　Ｌｅｎｇｔｈ　Ｌｉｍｉｔｅｄ；ＲＬＬ）符号器、３は記録媒体、４は等化器、５は復号器、６は出力端子を示し、Ｍ（ｆ），Ｇ（ｆ），Ｅ（ｆ）は、それぞれＲＬＬ符号器２，記録媒体３，等化器４のインパルスに対する周波数特性であり、また、Ｈ（ｆ）はＲＬＬ符号器２から等化器４までの総合のインパルスに対する伝送周波数特性である。
　【０００３】図８において、入力端子１より入力されたディジタル情報信号は、ＲＬＬ符号器２において、最小ランレングスがｄ、最大ランレングスがｋの所謂（ｄ，ｋ）ＲＬＬ符号を用いて変調され、記録媒体３に記録される。例えば、記録媒体３としてコンパクトディスク（ＣＤ）を用いたデイジタルオーディオシステムでは、このＲＬＬ符号器２には、最小ランレングスｄが３、最大ランレングスｋが１１のＥＦＭ（Ｅｉｇｈｔ−ｔｏ−Ｆｏｕｒｔｅｅｎ　Ｍｏｄｕｌａｔｉｏｎ）という変調方式が採用されている。
　【０００４】記録媒体３より再生した信号は、等化器４において等化され、復号器５において元のディジタル情報信号が復号され、復号されたディジタル情報信号は出力端子６より出力される。
　【０００５】図９は、ＲＬＬ符号器２の周波数特性Ｍ（ｆ）と総合の伝送周波数特性Ｈ（ｆ）との一般的な関係を示した図である。ここで、（ａ）は周波数特性Ｍ（ｆ）を、（ｂ）は伝送周波数特性Ｈ（ｆ）を示し、Ｆｂは変調後の記録ビットレート、Ｆｎ（＝（Ｆｂ／ｄ）／２）はナイキスト（Ｎｙｑｕｉｓｔ）周波数、Ｆｍは記録媒体３の高域遮断周波数である。通常、総合の伝送周波数特性Ｈ（ｆ）は、（ｂ）に示す通り、ナイキスト周波数Ｆｎの自乗余弦特性（ロールオフ率１００％）となるように等化器４の周波数特性Ｅ（ｆ）が設定される。従って、伝送周波数特性Ｈ（ｆ）の帯域幅Ｂ（＝２×Ｆｎ）は、高域遮断周波数Ｆｍに等しくなるまで記録ビットレートＦｂを高めることができ、これより記録ビットレートＦｂと高域遮断周波数Ｆｍとの関係は、次の▲３▼式で示される。
　【０００６】
　　　　　　　　Ｆｂ＝ｄ・Ｆｍ　　　　　…▲３▼式
　【０００７】図１０に、このときの等化器４の出力信号のアイパターン（ｄ＝３）を示す。
　【０００８】尚、高域遮断周波数Ｆｍは、例えば、記録媒体３が光ディスクの場合、レーザーの波長λ、光学系の開口数ＮＡ、及び光ディスクの線速度Ｖによって、次の▲４▼式で示される。
　【０００９】
　【００１０】例えば、先に述べたＣＤシステムでは、記録ビットレートＦｂは約４．３２Ｍｂｐｓ’、帯域幅Ｂは約１．４４ＭＨｚ（ｄ＝３）である。一方、レーザーの波長λはλ＝０．７８μｍ、光学系の開口数ＮＡはＮＡ＝０．４５、光ディスクの線速度ＶはＶ＝１．２５ｍ／ｓであり、上記▲４▼式より、高域遮断周波数Ｆｍは、約１．４４ＭＨｚとなり、帯域幅Ｂと一致する。
　【００１１】尚、ＲＬＬ符号や等化に関しては、例えば、「テレビジョン学会誌」第４２巻，第４号（１９８８年４月）の３３０頁〜３３７頁に記載されている。
　【００１２】
　【発明が解決しようとする課題】ところで、ディジタル情報信号の記録密度を高める方法としては、記録媒体のパラメータ（例えば、光ディスクの場合はレーザーの波長λなど）や、ＲＬＬ符号のパラメータ（例えば、最小ランレングスｄなど）を変更するのが一般的である。しかし、さらに記録密度を高める、言い換えれば、これらのパラメータを変更せずに記録密度を高める方法に関しては、従来、あまり知られていなかった。
　【００１３】図１１は、ディジタル情報信号の記録ビットレートを高めた場合における、従来の考え方による等化方式を示す図である。ここで、（ａ’）はＲＬＬ符号器２の周波数特性Ｍ（ｆ）を、（ｂ’）は総合の伝送周波数特性Ｈ（ｆ）示し、Ｋは記録密度の増加度を表す係数、Ｆｂ’（＝Ｋ×Ｆｂ）は記録ビットレート、Ｆｎ’（＝（Ｆｂ’／ｄ）／２＝Ｋ×Ｆｎ）はナイキスト周波数である。いうまでもなく、記録媒体やＲＬＬ符号のパラメータは不変であるので、記録媒体３の高域遮断周波数Ｆｍは一定である。従来の考え方に従えば、伝送周波数特性Ｈ（ｆ）は、（ｂ’）に示す通り、ナイキスト周波数Ｆｎ’のロールオフ自乗余弦特性となるように等化器４の周波数特性Ｅ（ｆ）が設定される。すなわち、伝送周波数特性Ｈ（ｆ）の帯域幅Ｂは高域遮断周波数Ｆｍで制限され、係数Ｋの増加に従って、ロールオフ率βは減少する。次の▲５▼式にこの関係を示す。
　【００１４】
　【００１５】例えば、係数Ｋを１．５とする（記録密度を１．５倍に増大させる）と、ロールオフ率βは３３．３％まで低下し、最小ランレングスｄを３とすると、等化器４の出力信号のアイパターンは、図１２に示すようになり、開口率が大幅に劣化する。
　【００１６】このように、従来技術においては、ディジタル情報信号の記録密度は、記録媒体やＲＬＬ符号のパラメータによりほぼ決定され、記録密度のさらなる向上は期待できなかった。
　【００１７】本発明の目的は、上記した従来技術の欠点を解消し、記録媒体やＲＬＬ符号のパラメータを変更せずとも、さらなる記録密度の向上を図ることが可能な、記録再生システム及びそれに用いる等化方式及び記録媒体を提供することにある。
　【００１８】
　【課題を解決するための手段】上記目的を達成するため、本発明では、等化器４に新しい等化方式を導入した。すなわち、本発明による等化方式では、インパルスに対する総合の伝送周波数特性Ｈ（ｆ）が次の▲１▼式で示す余弦特性となるように、等化器４の周波数特性Ｅ（ｆ）が設定される。
　【００１９】
　【００２０】ただし、Ｆｍは先に述べた記録媒体３の高域遮断周波数、あるいは次の▲２▼式に示される高域遮断周波数である。
　【００２１】
　【００２２】
　【作用】インパルスに対する総合の伝送周波数特性Ｈ（ｆ）が上記▲１▼式で示す余弦特性となるように、等化器４の周波数特性Ｅ（ｆ）を設定することにより、最小ランレングスｄから最大ランレングスｋまでほぼ全ての孤立パルスが重なり合うため、これらのパルスがランダムにきてもパルス間の干渉がほとんどなく、従って、十分なアイ開口率が得られる。
　【００２３】
　【実施例】以下、本発明の実施例を図面を用いて詳細に説明する。図１は、本発明による等化方式を示す周波数特性図である。ここで、（ｃ）は総合の伝送周波数特性Ｈ（ｆ）示し、ｄはＲＬＬ記録符号の最小ランレングス、Ｆｂ’は記録ビットレート、Ｆｎ’はナイキスト周波数、Ｋは記録密度向上係数である。上述したように、この伝送周波数特性Ｈ（ｆ）は前記した▲１▼式で表される余弦特性であり、その帯域幅Ｂは高域遮断周波数Ｆｍに等しいことはいうまでもない。そして、本発明では、この図１において、（ｃ）で示した伝送周波数特性Ｈ（ｆ）となるように、等化器４の周波数特性Ｅ（ｆ）が設定される。
　【００２４】図２は、このときの等化器４の出力信号のアイパターンであり、最小ランレングスｄが３、記録密度向上係数Ｋが１．５の場合の１例である。このように本発明によれば、従来に比べてアイ開口率が格段に改善されることがわかる。
　【００２５】図３は、最小ランレングスｄに相当する３Ｔ’パルスから最大ランレングスｋに相当する１１Ｔ’パルスまでの孤立波応答を重ね合わせた波形図であり、図３の（Ａ）は図１に示した本発明による等化方式での波形であり、図３の（Ｂ）は図１１に示した従来の等化方式での波形である。ここで、両者の時間ｔ＝０までの波形を比較すると、図３の（Ａ）の本発明による等化方式では、３Ｔ’から１１Ｔ’までほぼ全てのパルスが重なるのに対し、図３の（Ｂ）の従来方式ではあまり重なり合っていない。この差が図２と図１２に示したアイパターンに出てきていることはいうまでもない。このように、本発明による等化方式では、全ての孤立パルスが重なり合うため、これらのパルスがランダムにきてもパルス間の干渉がほとんどなく、従って、十分なアイ開口率が得られることになる。
　【００２６】ところで、図２の例では、最小ランレングスｄが３、記録密度向上係数Ｋが１．５の場合について示したが、本発明はこれらの値に限定されるものではなく、最小ランレングスｄについては２以上、記録密度向上係数Ｋについては１から２の範囲で適用できる。
　【００２７】図４及び図５は、記録密度向上係数Ｋが１．２５と１．７５の場合の１例である。共に、最小ランレングスｄが３で、各図の（Ａ）は孤立パルス応答波形、各図の（Ｂ）はアイパターンである。図４のＫ＝１．２５の場合は、記録密度向上係数Ｋが小さい分、アイ開口率は大きく、問題はない。一方、図５のＫ＝１．７５の場合は、記録密度向上係数Ｋが大きい分、アイ開口率は低下する。これは、図５の（Ａ）の孤立パルス応答に示すように、それぞれのパルスは重なるが、全体にパルス幅が広がり、レベルが低下するためである。従って、記録密度向上係数Ｋを大きくしたい場合は、システムのＳ／Ｎを十分大きくする必要がある。このように、本発明は、システムのＳ／Ｎによって記録密度向上係数Ｋが制限されるが、上述したように、最小ランレングスｄが３の場合には、約１．７５倍程度まで記録密度を向上した記録再生システムや記録媒体が実現できる。
　【００２８】図６は、最小ランレングスｄが４、記録密度向上係数Ｋが１．５の場合の１例であり、図６の（Ａ）は孤立パルス応答波形、図６の（Ｂ）はアイパターンである。このように全ての孤立パルスが重なり合い、十分なアイ開口率が得られている。従って、最小ランレングスｄが４の場合には、約１．５倍程度まで記録密度を向上することができる。
　【００２９】図７は、最小ランレングスｄが５、記録密度向上係数Ｋが１．２５の場合の１例であり、図７の（Ａ）は孤立パルス応答波形、図７の（Ｂ）はアイパターンである。ここでも全ての孤立パルスが重なり合い、十分なアイ開口率が得られている。従って、最小ランレングスｄが５の場合には、約１．２５倍程度まで記録密度を向上することができる。
　【００３０】
　【発明の効果】以上述べたように、本発明によれば、記録媒体や変調方式にかかわらず、ディジタル情報の記録密度の向上を図ることができる。
【図面の簡単な説明】
　【図１】本発明による等化方式を示す周波数特性図である。
　【図２】本発明による等化方式を用いたときのアイパターンの１例を示す波形図である。
　【図３】本発明による等化方式を用いたときの孤立パルス応答の１例を従来方式と対比して示す波形図である。
　【図４】本発明による等化方式を用いたときの孤立パルス応答とアイパターンの他の１例を示す波形図である。
　【図５】本発明による等化方式を用いたときの孤立パルス応答とアイパターンの他の１例を示す波形図である。
　【図６】本発明による等化方式を用いたときの孤立パルス応答とアイパターンの他の１例を示す波形図である。
　【図７】本発明による等化方式を用いたときの孤立パルス応答とアイパターンの他の１例を示す波形図である。
　【図８】ディジタル情報信号記録再生システムの構成を示すブロック図である。
　【図９】従来の等化方式を示す周波数特性図である。
　【図１０】従来の等化方式を用いたときのアイパターンの１例を示す波形図である。
　【図１１】記録密度を高めた場合における従来の等化方式を示す周波数特性図である。
　【図１２】記録密度を高めた場合における従来の等化方式を用いたときのアイパターンの１例を示す波形図である。
　【符号の説明】
２　ＲＬＬ符号器
３　記録媒体
４　等化器
５　復号器